【手続補正書】
【提出日】平成18年8月11日(2006.8.11)
【手続補正１】
【補正対象書類名】特許請求の範囲
【補正対象項目名】全文
【補正方法】変更
【補正の内容】
【特許請求の範囲】
【請求項１】
（ａ）近位端および遠位端を有する多内腔チューブ部分と、
（ｂ）それぞれ近位端および遠位端を有する複数の遠位単一内腔チューブを備えると共
に、前記各遠位単一内腔チューブの内腔が前記多内腔チューブ部分の複数の内腔の１つと
流体連通状態になるように前記各遠位単一内腔チューブの前記近位端が前記多内腔チュー
ブ部分の前記遠位端に永久的に接続された遠位部分と、
（ｃ）それぞれ遠位端および近位端を有する複数の近位単一内腔チューブを備えると共
に、前記各近位単一内腔チューブの内腔が前記多内腔チューブ部分の複数の内腔の１つと
流体連通状態になるように前記各近位単一内腔チューブの前記遠位端が前記多内腔チュー
ブ部分の前記近位端に永久的に接続された近位部分と、
（ｄ）それぞれ近位端が前記遠位単一内腔チューブの１つに取り付け可能で且つ遠位端
で流体交換装置に接続されるように構成された複数の延長部材と
を備えたことを特徴とする多内腔カテーテル。
【請求項２】
前記多内腔チューブ部分の各内腔が１つの遠位単一内腔チューブの内腔および１つの近
位単一内腔チューブの内腔に流体連通状態にあり、これによりカテーテル内を通る流路を
画定する請求項１に記載の多内腔カテーテル。
【請求項３】
前記多内腔チューブ部分は２つの内腔を有し、前記遠位部分は２つの遠位単一内腔チュ
ーブを有し、前記近位部分は２つの近位単一内腔チューブを有する請求項１に記載の多内
腔カテーテル。
【請求項４】
前記遠位単一内腔チューブの前記遠位端を受けて保持するコネクタをさらに備えた請求
項３に記載の多内腔カテーテル。
【請求項５】
前記コネクタは、前記コネクタをトロカールに取り付ける手段を備えた請求項４に記載
の多内腔カテーテル。
【請求項６】
前記２つの遠位単一内腔チューブの前記遠位端の少なくとも一部分および前記コネクタ
の少なくとも一部分の上に配置されるシースをさらに備えた請求項４に記載の多内腔カテ
ーテル。
【請求項７】
前記多内腔チューブ部分、前記遠位単一内腔チューブおよび前記近位単一内腔チューブ
は、溶着可能な材料で構成されており、前記遠位単一内腔チューブおよび前記近位単一内
腔チューブは、前記多内腔チューブ部分の前記遠位端および前記近位端にそれぞれ溶着さ
れる請求項１に記載の多内腔カテーテル。
【請求項８】
前記遠位単一内腔チューブは、その長さの少なくとも一部分にわたって略円形断面を有
する請求項１に記載の多内腔カテーテル。
【請求項９】
前記近位単一内腔チューブは、その長さの少なくとも一部分にわたって略Ｄ字形断面を
有する請求項１に記載の多内腔カテーテル。
【請求項１０】
前記遠位単一内腔チューブは、その長さの少なくとも一部分にわたって略円形断面を有
し、前記近位単一内腔チューブは、その長さの少なくとも一部分にわたって略Ｄ字形断面
を有する請求項１に記載の多内腔カテーテル。
【請求項１１】
前記近位単一内腔チューブの少なくとも１つは、少なくとも１つの他の近位単一内腔チ
ューブより長さが短い請求項１に記載の多内腔カテーテル。
【請求項１２】
前記多内腔チューブ部分の外側部分に付着された安定化カフをさらに備える請求項１に
記載の多内腔カテーテル。
【請求項１３】
各延長部材の近位端が、１つの遠位単一内腔チューブの内腔に挿入されるように構成さ
れたカニューレを備えた請求項１に記載の多内腔カテーテル。
【請求項１４】
各延長部材は、はめ合わせ圧縮取り付け具とチューブ部分とを備え、前記はめ合わせ圧
縮取り付け具の近位端は前記カニューレに取り付けられ、前記はめ合わせ圧縮取り付け具
の遠位端は前記チューブ部分の近位端に取り付けられ、前記はめ合わせ圧縮取り付け具に
より前記カニューレと前記チューブ部分とが流体連通状態になる請求項１３に記載の多内
腔カテーテル。
【請求項１５】
前記はめ合わせ圧縮取り付け具は、その近位端に隣接するねじ付き連結部を備え、前記
チューブ部分は、前記遠位単一内腔チューブがスライド自在に受容されるような直径の中
央内腔を有するコネクタハブを備え、前記コネクタハブは、前記はめ合わせ圧縮取り付け
具の前記ねじ付き連結部にはめ合わされる連結部を有する請求項１４に記載の多内腔カテ
ーテル。
【請求項１６】
前記近位単一内腔チューブの各々は、チューブ壁と、そのチューブ壁を貫通する少なく
とも１つの開口を有する請求項１に記載の多内腔カテーテル。
【請求項１７】
前記遠位単一内腔チューブの少なくとも１つの外側部分に印が付けられ、該印は該カテ
ーテル内を通る個々の流路を表示する請求項１に記載の多内腔カテーテル。
【請求項１８】
前記近位単一内腔チューブは、２つであり、自由状態において１つの開先角度で交差す
る長手軸を有し、前記開先角度は約１０度〜約３０度の範囲にある請求項１に記載の多内
腔カテーテル。
【請求項１９】
（ａ）近位端および遠位端を有する二重内腔チューブ部分と、
（ｂ）それぞれ近位端および遠位端を有する２つの遠位単一内腔チューブを備えると共
に、前記各遠位単一内腔チューブの内腔が前記二重内腔チューブ部分の１つの内腔と流体
連通状態になるように前記各遠位単一内腔チューブの近位端が前記二重内腔チューブ部分
の遠位端から伸びる遠位部分と、
（ｃ）それぞれ近位端および遠位端を有する２つの近位単一内腔チューブを備えると共
に、前記各近位単一内腔チューブの内腔が前記二重内腔チューブ部分の１つの内腔と流体
連通状態になるように前記各近位単一内腔チューブの遠位端が前記二重内腔チューブ部分
の近位端から伸びる近位部分と
を備えたことを特徴とする二重内腔カテーテル。
【請求項２０】
前記二重内腔チューブ部分、前記遠位単一内腔チューブおよび前記近位単一内腔チュー
ブは、互いに一体に形成された請求項１９に記載の二重内腔カテーテル。
【請求項２１】
それぞれ近位端が前記遠位単一内腔チューブの１つに取り付け可能で且つ遠位端で流体
交換装置に接続されるように構成された複数の延長部材をさらに備えた請求項２０に記載
の二重内腔カテーテル。
【請求項２２】
それぞれ
（ｉ）近位端に配置され且つ１つの遠位単一内腔チューブの内腔に挿入され保持されるよ
うに構成されたカニューレと、
（ｉｉ）はめ合わせ圧縮取り付け具と、
（ｉｉｉ）チューブ部分と
を有し、前記はめ合わせ圧縮取り付け具の近位端は前記カニューレに取り付けられ、前
記はめ合わせ圧縮取り付け具の遠位端は前記チューブ部分の近位端に取り付けられ、前記
はめ合わせ圧縮取り付け具により前記カニューレと前記チューブ部分とが流体連通状態に
なる、２つの延長部材を備えて請求項１９に記載の二重内腔カテーテル。
【請求項２３】
前記チューブ部分の遠位端は、前記チューブ部分を流体交換装置に接続する手段を備え
た請求項２２に記載の二重内腔カテーテル。
【請求項２４】
前記はめ合わせ圧縮取り付け具は、その近位端に隣接するねじ付き連結部を備え、前記
チューブ部分は、前記遠位単一内腔チューブがスライド自在に受容されるような直径の中
央内腔を有するコネクタハブを備え、前記コネクタハブは、前記はめ合わせ圧縮取り付け
具の前記ねじ付き連結部にはめ合わされる連結部を有する請求項２２に記載の二重内腔カ
テーテル。
【請求項２５】
前記二重内腔チューブ部分、前記遠位単一内腔チューブおよび前記近位単一内腔チュー
ブは、溶着可能な材料で構成されており、前記遠位単一内腔チューブおよび前記近位単一
内腔チューブは、前記二重内腔チューブ部分の前記遠位端および前記近位端にそれぞれ溶
着される請求項１９に記載の二重内腔カテーテル。
【請求項２６】
前記遠位単一内腔チューブは、その長さの少なくとも一部分にわたって略円形断面を有
する請求項１９に記載の二重内腔カテーテル。
【請求項２７】
前記近位単一内腔チューブの一方は、他方の近位単一内腔チューブより長さが短い請求
項２６に記載の二重内腔カテーテル。
【請求項２８】
前記二重内腔チューブ部分の外側部分に付着された安定化カフをさらに備える請求項１
９に記載の二重内腔カテーテル。
【請求項２９】
（ａ）近位端および遠位端を有する多内腔チューブ部分と、
（ｂ）それぞれ近位端および遠位端を有する複数の遠位単一内腔チューブを備えると共
に、前記各遠位単一内腔チューブの内腔が前記多内腔チューブ部分の複数の内腔の１つと
流体連通状態になるように前記各遠位単一内腔チューブの前記近位端が前記多内腔チュー
ブ部分の前記遠位端に永久的に接続された遠位部分と、
（ｃ）それぞれ遠位端および近位端を有する複数の近位単一内腔チューブを備えると共
に、前記各近位単一内腔チューブの内腔が前記多内腔チューブ部分の複数の内腔の１つと
流体連通状態になるように前記各近位単一内腔チューブの前記遠位端が前記多内腔チュー
ブ部分の前記近位端に永久的に接続された近位部分と
を備えたことを特徴とする多内腔カテーテル。
【手続補正２】
【補正対象書類名】明細書
【補正対象項目名】発明の名称
【補正方法】変更
【補正の内容】
【発明の名称】多内腔カテーテルおよび二重内腔カテーテル